(57)【要約】【課題】  ＤＳＰから出力されたデジタル信号が常時、ハイレベルとなる異常現象になったとしても、迅速に対処することが可能な信号変換装置及び信号変換方法等を提供する。【解決手段】  本発明は、デジタル信号の処理を行うデジタル信号処理部２から出力された所定長のビット列を１単位とするデジタル信号を入力し、当該単位毎にアナログ信号に変換して出力するＤＡＣ３１であって、前記入力されたデジタル信号の異常を検出し、前記異常が検出された場合、当該異常を示す信号を出力する異常信号出力部３１ｃを備える。【選択図】  図１
2006338845.tif 000002
【特許請求の範囲】
【請求項１】
デジタル信号の処理を行うデジタル信号処理装置から出力された所定長のビット列を１単位とするデジタル信号を入力し、当該単位毎にアナログ信号に変換して出力する信号変換装置であって、
前記入力されたデジタル信号の異常を検出する異常検出手段と、
前記異常が検出された場合、当該異常を示す信号を出力する異常信号出力手段と、
を備えることを特徴とする信号変換装置。
【請求項２】
請求項１に記載の信号変換装置において、
前記デジタル信号は、正常時には、前記所定長のビット列のうち、所定ビットの論理レベルが一方に固定されて入力されるものであって、
前記異常検出手段は、前記入力されたデジタル信号における前記所定ビットの論理レベルが反転しているとき、前記異常を検出することを特徴とする信号変換装置。
【請求項３】
請求項１又は２に記載の信号変換装置において、
前記異常が検出された場合、前記変換されたアナログ信号の出力を制限する出力制限手段を更に備えることを特徴とする信号変換装置。
【請求項４】
請求項１又は２に記載の信号変換装置において、
前記異常が検出された場合、前記入力されたデジタル信号をアナログ信号に変換することを制限する変換制限手段を更に備えることを特徴とする信号変換装置。
【請求項５】
デジタル信号の処理を行うデジタル信号処理装置から出力された所定長のビット列を１単位とするデジタル信号を入力し、当該単位毎にアナログ信号に変換して出力する信号変換方法であって、
前記入力されたデジタル信号の異常を検出する工程と、
前記異常が検出された場合、当該異常を示す信号を出力する工程と、
を備えることを特徴とする信号変換方法。
【請求項６】
デジタル信号の処理を行うデジタル信号処理装置から出力された所定長のビット列を１単位とするデジタル信号を入力し、当該単位毎にアナログ信号に変換して出力するコンピュータを、
前記入力されたデジタル信号の異常を検出し、
前記異常が検出された場合、当該異常を示す信号を出力するように機能させることを特徴とする信号変換処理プログラム。
【請求項７】
請求項６に記載の信号変換処理プログラムがコンピュータ読み取り可能に記録されていることを特徴とする記録媒体。
【発明の詳細な説明】
【技術分野】
【０００１】
本発明は、デジタル信号の処理を行うデジタル信号処理装置から出力された所定長のビット列を１単位とするデジタル信号を入力し、当該単位毎にアナログ信号に変換して外部に出力する信号変換装置等の技術分野に関する。
【背景技術】
【０００２】
例えば、ＣＤ（Compact Disc），ＤＶＤ（Digital Versatile Disc）等の記録媒体から記録情報を再生する情報再生装置等においては、当該記録媒体から読み出され、例えばＤＳＰ（Digital Signal Processor）にてデジタル信号処理が施されたデジタル信号をアナログ信号に変換するためのデジタル／アナログ変換器（Digital/Analog Converter、以下、「ＤＡＣ」という）が設けられており、当該ＤＡＣにより変換されたアナログ信号は、ＡＭＰ（Amplifier）により増幅された後、スピーカから音波として出力されるようになっている（例えば、特許文献１参照）。
【０００３】
近年、例えばオーディオ機器等の設計の簡易化等を図るため、このようなＤＡＣ及びＡＭＰとを一まとめにしたパワーＩＣと呼ばれる部品の開発が盛んに行われるようになってきている。
【特許文献１】特開２００４−５７８６号公報
【発明の開示】
【発明が解決しようとする課題】
【０００４】
このようなＤＡＣ及びＡＭＰを備えるパワーＩＣを設計段階で評価する場合、例えば、評価対象となるパワーＩＣの入力部（つまり、ＤＡＣ側）にＤＳＰを接続し、当該パワーＩＣの出力部（つまり、ＡＭＰ側）にスピーカ若しくはダミー負荷を接続しておき、ＤＳＰに対して例えばデジタル信号発生器からデジタル信号を入力する方法が採られる。
【０００５】
ところが、このような評価時において、本願発明者は、ＤＳＰからのデジタル信号の出力が常時、ハイ（Ｈ）レベルとなる異常（つまり、正常時とは異なる状態）現象を発見した。このような現象は、特に、電源立ち上げ段階にしばしば発生するものであったが、これが発生すると、パワーＩＣへの予期せぬダメージを与えることにもなりかねない。
【０００６】
そこで、本願は、このような問題の解消を一つの課題とし、ＤＳＰから出力されたデジタル信号が常時、ハイレベルとなる異常現象になったとしても、迅速に対処することが可能な信号変換装置及び信号変換方法等を提供することを目的とする。
【課題を解決するための手段】
【０００７】
上記課題を解決するため、請求項１に記載の発明は、デジタル信号の処理を行うデジタル信号処理装置から出力された所定長のビット列を１単位とするデジタル信号を入力し、当該単位毎にアナログ信号に変換して出力する信号変換装置であって、前記入力されたデジタル信号の異常を検出する異常検出手段と、前記異常が検出された場合、当該異常を示す信号を出力する異常信号出力手段と、を備えることを特徴とする。
【０００８】
また、請求項５に記載の発明は、請求項１に記載の信号変換装置において、デジタル信号の処理を行うデジタル信号処理装置から出力された所定長のビット列を１単位とするデジタル信号を入力し、当該単位毎にアナログ信号に変換して出力する信号変換方法であって、前記入力されたデジタル信号の異常を検出する工程と、前記異常が検出された場合、当該異常を示す信号を出力する工程と、を備えることを特徴とする。
【０００９】
また、請求項６に記載の信号変換処理プログラムは、デジタル信号の処理を行うデジタル信号処理装置から出力された所定長のビット列を１単位とするデジタル信号を入力し、当該単位毎にアナログ信号に変換して出力するコンピュータを、前記入力されたデジタル信号の異常を検出し、前記異常が検出された場合、当該異常を示す信号を出力するように機能させることを特徴とする。
【００１０】
また、請求項７に記載の記録媒体は、請求項６に記載の信号変換処理プログラムがコンピュータ読み取り可能に記録されていることを特徴とする。
【発明を実施するための最良の形態】
【００１１】
以下、本願の最良の実施形態を添付図面に基づいて説明する。なお、以下に説明する実施の形態は、オーディオ再生装置に対して本願を適用した場合の実施形態である。
【００１２】
先ず、図１を参照して、本実施形態におけるオーディオ再生装置の構成及び機能を説明する。
【００１３】
図１は、オーディオ再生装置の概要ブロック例を示す図である。オーディオ再生装置Ｓは、図１に示すように、情報再生処理部１、デジタル信号処理装置の一例としてのデジタル信号処理部２、情報出力処理部３、スピーカ４、システム制御部５、及び操作部６等を備えて構成されている。
【００１４】
情報再生処理部１は、例えば、ＣＤ、ＤＶＤ等の記録媒体に対して光ビームを照射して記録情報を光学的に読み取り電気信号に光電変換し出力する光ピックアップ、当該光ピックアップから出力された電気信号からＲＦ（Radio Frequency）信号等を生成して出力するＲＦアンプ、及び、トラッキングサーボ及びフォーカスサーボ等のサーボ制御を行うサーボ回路等を備えて構成されており、当該記録媒体に記録された記録情報をＲＦ信号として、デジタル信号処理部２に対して再生出力するようになっている。
【００１５】
なお、情報再生処理部１としては、Blu-rayディスク、ＭＤ（Mini Disc）、或いは、メモリースティック（登録商標）、ＳＤカードなどのカード型記録媒体等に記録された記録情報を再生出力するものであっても良く、また、放送局からデジタル放送された電波を受信しデコードして出力するものであっても良いし、或いは、インターネットに接続された配信サーバから配信されてきたデータを受信しデコードして出力するものであっても良い。
【００１６】
デジタル信号処理部２は、例えばＤＳＰ（Digital Signal Processor）等により構成されており、情報再生処理部１から再生出力されたＲＦ信号を入力し、所定の復調処理及び誤り訂正処理等のデジタル信号処理を行い、デジタル信号（ＤＡＴＡ）、ＬＲＣＫ（ＬＲクロック）及びＳＣＫ（サンプリングクロック）と共に情報出力処理部３に対して出力するようになっている。
【００１７】
情報出力処理部３は、図１に示すように、例えばパワーＩＣ等により構成されており、デジタル信号処理部２から出力されたデジタル信号（デジタルオーディオ信号）をアナログ信号（アナログオーディオ信号）に変換して出力するＤＡＣ３１、及び当該ＤＡＣ３１から出力されたアナログ信号を増幅して出力するＡＭＰ３２等を備えている。ＡＭＰ３２により増幅されたアナログ信号（Ｌ（left）チャンネルのアナログ信号と、Ｒ（Right）チャンネルのアナログ信号）は、スピーカ４に出力される（Ｌチャンネルのアナログ信号はＬ側のスピーカ４に、Ｒチャンネルのアナログ信号はＲ側のスピーカ４に、夫々出力される）。
【００１８】
ＤＡＣ３１は、デジタル信号処理部２からのデジタル信号を一時的に格納するレジスタ（例えば、３２ビット（ｂｉｔ）のレジスタ）３１ａと、レジスタ３１ａに格納されたデジタル信号を上記ＳＣＫに基づきアナログ信号に変換するデジタル／アナログ（Ｄ／Ａ）変換部３１ｂと、本願の異常検出手段、異常信号出力手段、出力制限手段、及び変換制限手段の一例としての異常検出部３１ｃと、を備えている。
【００１９】
異常検出部３１ｃは、例えば、ＡＮＤ回路等により構成されており、レジスタ３１ａに格納されたデジタル信号の異常（例えば、当該デジタル信号が、常時、ハイレベル（“１”）となる異常）を検出しており、当該異常を検出した場合、当該異常を示す信号を、例えばシステム制御部５に出力するようになっている。また、異常検出部３１ｃは、当該異常を検出した場合、デジタル／アナログ変換部３１ｂにより変換されたアナログ信号の出力を制限、或いは、レジスタ３１ａに格納されたデジタル信号のアナログ信号への変換を制限する。これにより、デジタル信号処理部２から出力されたデジタル信号が常時、ハイレベルとなる異常現象が発生したとしても、迅速に対処でき、パワーＩＣへの予期せぬダメージを与えることを防止し、且つ、ユーザに対して不快感を与えることを回避することができる。
【００２０】
システム制御部５は、ＣＰＵ、作業用ＲＡＭ、及びプログラムやデータを記憶するＲＯＭ等を備えており、操作部６からの指示信号にしたがって、オーディオ再生装置Ｓの各構成要素全体を統括制御し、記録媒体に記録された記録情報の再生、出力制御を行うようになっている。また、システム制御部５は、異常検出部３１ｃからの異常を示す信号を受けた場合、例えばデジタル信号処理部２に対してリセット指令を与える。
【００２１】
なお、操作部６は、ユーザからの各種操作指示を入力するための複数の操作ボタンを備えており、当該操作ボタンが押下された場合、その操作ボタンに応じた指示信号をシステム制御部５に出力する。
【００２２】
次に、図２及び図３を参照して、デジタル信号の異常が発生した場合における異常検出部３１ｃにおける動作について詳しく説明する。
【００２３】
図２は、デジタル信号処理部２から出力された各種ＣＫ（クロック）及びＤＡＴＡ（デジタル信号）のタイミングチャートを示す図であり、図３は、ＤＡＣ３１におけるレジスタ３１ａに格納されたデータの一例を示す図である。
【００２４】
図２に示す例では、正常時のデジタル信号は、所定長、例えば３２ビットのビット列を１単位としてデジタル信号処理部２から出力されるようになっており、このうち、上位２４ビット（つまり、ＭＳＢ（Most Significant Bit）からＬＳＢ（Least Significant Bit）まで）はデータ（オーディオデータ）部を構成し、下位８ビットはローレベルに固定された付加部である。つまり、デジタル信号処理部２は、２４ビット毎のデータ処理を行った後、当該２４ビットのデータ部に、ローレベルの８ビットの付加部を設定（付加）して出力するように動作する。そして、異常時のデジタル信号は、図２に示すように、２４ビットのデータ部及び８ビットの付加部共に、常時、ハイレベルとなっている。
【００２５】
このようなデジタル信号がＤＡＣ３１に入力されると、図３に示すように、３２ビットのレジスタ３１ａに格納されることになる。そして、例えば、データ部における上位２０ビットがデジタル／アナログ変換部３１ｂによる変換対象となり（データ部における下位４ビットは切り捨て）、付加部における８ビットが異常検出対象になっている。図３に示す例では、付加部における８ビットは、正常時には全てローレベル（“０”）になり、異常時には全てハイレベル（“１”）になるので、異常検出部３１ｃは、付加部における８ビットのうちの全部又は一部のビットの論理レベルが反転している（つまり、ここでは、ローレベル）とき、異常を検出する。例えば、図３に示すように、ＡＮＤ回路の一方の入力を常時ハイレベル（“１”）とし、他方の入力を付加部における８ビットのうちの何れかとすれば、当該異常を検出することができる（付加部における８ビットの夫々に対応するＡＮＤ回路を設け、それらのＡＮＤ回路の出力をＡＮＤ条件により異常検出しても良い）。なお、上記例においては、正論理の場合を例にとっているが、負論理の場合には、論理レベルが反転することになり、付加部における８ビットは、正常時には全てハイレベル（“１”）になり、異常時には全てローレベル（“０”）になる。
【００２６】
こうして、異常検出部３１ｃは、異常を検出すると、その異常を示す信号をシステム制御部５に出力し、当該システム制御部５は、これに応じて、デジタル信号処理部２にリセット指令を出力する。これにより、デジタル信号処理部２におけるＤＳＰは、リセットされることになる。また、システム制御部５は、異常を示す信号に応じて、ユーザにその旨の情報を、スピーカ４から出力させたり、図示しない表示画面に表示させ、ユーザに報知するように構成しても良い。
【００２７】
更に、異常検出部３１ｃは、デジタル／アナログ変換部３１ｂにより変換されたアナログ信号の出力を制限、例えば、当該出力に対してミュート（消音）処理を実行する。或いは、異常検出部３１ｃは、レジスタ３１ａに格納されたデジタル信号のアナログ信号への変換を制限、例えば、デジタル／アナログ変換部３１ｂの機能ロックするように構成しても良い。
【００２８】
以上説明したように、上記実施形態によれば、デジタル信号の処理を行うデジタル信号処理部２から出力された所定長のビット列（例えば、３２ビット）を１単位とするデジタル信号を入力し、当該単位毎にアナログ信号に変換して出力するＤＡＣ３１は、異常検出部３１ｃにより、上記入力されたデジタル信号の異常を検出し、当該異常が検出された場合、当該異常を示す信号を、例えばシステム制御部５に出力するように構成したので、デジタル信号処理部２からのデジタル信号が常時ハイレベルとなる異常現象が発生しても、迅速に、例えばデジタル信号処理部２をリセットして復旧することが可能となり、パワーＩＣへの予期せぬダメージを与えることを防止することができる。
【００２９】
また、デジタル信号は、正常時には、所定長のビット列（例えば、３２ビット）のうち、例えば所定ビット（例えば、下位８ビット）の論理レベルが一方に（例えば、ローレベル）固定されて入力されるようにし、異常検出部３１ｃは、上記入力されたデジタル信号における所定ビット（例えば、下位８ビット）の論理レベルが反転（例えば、ハイレベルに反転）しているとき、異常を検出するように構成したので、デジタル信号処理部２からのデジタル信号が常時ハイレベルとなる異常現象が発生しても、容易かつ迅速に当該異常を検出することができる。
【００３０】
また、異常検出部３１ｃは、上記異常を検出した場合、デジタル／アナログ変換部３１ｂにて変換されたアナログ信号の出力を制限するように構成したので、パワーＩＣ、特に、ＡＭＰ３２への予期せぬダメージを与えることを防止し、且つ、ユーザに対して不快感を与えることを回避することができる。
【００３１】
また、異常検出部３１ｃは、上記異常を検出した場合、入力されたデジタル信号をアナログ信号に変換することを制限（例えば、デジタル／アナログ変換部３１ｂの機能ロック）するように構成したので、異常である信号の変換出力を防止し、且つ、ユーザに対して不快感を与えることを回避することができる。
【００３２】
なお、上記実施形態においては、異常検出部３１ｃは、ハード的に構成された場合を例にとって説明したが、これに限定されるものではなく、ソフト的に構成されるようにしても良い。例えば、ＤＡＣ３１をコンピュータとしてのＣＰＵ、ＲＡＭ、ＲＯＭ等により構成し、当該ＣＰＵが、例えばＲＯＭ等に記憶された信号変換処理プログラムを読み出し実行することにより、入力されたデジタル信号の異常を検出し、当該異常が検出された場合、当該異常を示す信号を出力するように構成してもよい。このように構成しても、上記と同様、デジタル信号処理部２からのデジタル信号が常時ハイレベルとなる異常現象が発生した場合に、容易かつ迅速に当該異常を検出することができる。なお、信号変換処理プログラムは、例えばインターネットに接続された所定のサーバからダウンロードされるようにしてもよいし、例えば、ＣＤ−ＲＯＭ等の記録媒体に記録されて当該記録媒体のドライブを介して読み込まれるようにしてもよい。
【００３３】
また、上記実施形態においては、本願をオーディオ再生装置に対して適用した例を示したが、これに限定されるものではなく、例えば、車載用ナビゲーション装置や、音声及び映像情報を再生するＡＶ（オーディオビジュアル）再生装置等に対しても適用可能である。
【図面の簡単な説明】
【００３４】
【図１】オーディオ再生装置の概要ブロック例を示す図である。
【図２】デジタル信号処理部２から出力された各種ＣＫ（クロック）及びＤＡＴＡ（デジタル信号）のタイミングチャートを示す図である。
【図３】ＤＡＣ３１におけるレジスタ３１ａに格納されたデータの一例を示す図である。
【符号の説明】
【００３５】
１  情報再生処理部
２  デジタル信号処理部
３  情報出力処理部
３１  ＤＡＣ
３１ａ  レジスタ
３１ｂ  Ｄ／Ａ変換部
３１ｃ  異常検出部
４  スピーカ
５  システム制御部
６  操作部
【図１】
2006338845.tif 000003
【図２】
2006338845.tif 000004
【図３】
2006338845.tif 000005